(57)【要約】  発光部からの光の視認性が良好なウインドスクリーンと、マイクロホン装置と、を得る。  本発明にかかるウインドスクリーン２０は、音声を収音する収音部１１１，１１４と、収音部の動作状態を報知する発光部１１６と、を備えるマイクロホン１０のウインドスクリーンであって、収音部を覆うウインドスクリーン本体２１と、ウインドスクリーン本体をマイクロホンに固定する固定部材２２と、を有してなり、ウインドスクリーン本体は、収音部が配置される挿入穴２１ｈ、を備え、固定部材は、挿入穴の外部に配置される導光部２２１、を備え、導光部は、発光部からの光を導光する、ことを特徴とする。
2019207820.tif 000002
【特許請求の範囲】
【請求項１】
音声を収音する収音部と、
前記収音部の動作状態を報知する発光部と、
を備えるマイクロホンに取り付けられるウインドスクリーンであって、
前記収音部を覆うウインドスクリーン本体と、
前記ウインドスクリーン本体を前記マイクロホンに固定する固定部材と、
を有してなり、
前記ウインドスクリーン本体は、
前記収音部が配置される挿入穴、
を備え、
前記固定部材は、
前記挿入穴の外部に配置される導光部、
を備え、
前記導光部は、前記発光部からの光を導光する、
ことを特徴とするウインドスクリーン。
【請求項２】
前記導光部は、前記発光部を覆う、
請求項１記載のウインドスクリーン。
【請求項３】
前記ウインドスクリーン本体の長手方向における前記導光部の長さは、前記マイクロホンの長手方向における前記発光部の長さよりも長い、
請求項２記載のウインドスクリーン。
【請求項４】
前記導光部は、リング状である、
請求項２記載のウインドスクリーン。
【請求項５】
前記導光部は、
前記ウインドスクリーン本体の長手方向において、前記ウインドスクリーン本体の外周面と連続する外周面、
を備える、
請求項１記載のウインドスクリーン。
【請求項６】
前記ウインドスクリーン本体の前記外周面は、
前記ウインドスクリーン本体の長手方向において、前記挿入穴の底部側から前記挿入穴の開口部側に向けて傾斜する、
請求項５記載のウインドスクリーン。
【請求項７】
前記発光部からの前記光は、前記導光部の前記外周面と、前記導光部の下面と、から前記導光部の外部に放射される、
請求項５記載のウインドスクリーン。
【請求項８】
前記固定部材は、
前記挿入穴の内部に配置される位置決部、
を備え、
前記位置決部は、前記導光部を前記発光部に位置決めする、
請求項１記載のウインドスクリーン。
【請求項９】
前記位置決部は、
前記マイクロホンの外周面に配置される篏合溝に篏合する篏合部、
を備える、
請求項８記載のウインドスクリーン。
【請求項１０】
前記固定部材は、前記マイクロホンに対して着脱可能である、
請求項１記載のウインドスクリーン。
【請求項１１】
音声を収音する収音部と、
前記収音部の動作状態を報知する発光部と、
前記収音部と前記発光部とを覆うウインドスクリーンと、
を有してなり、
前記ウインドスクリーンは、請求項１乃至１０のいずれかに記載のウインドスクリーンである、
ことを特徴とするマイクロホン装置。
【発明の詳細な説明】
【技術分野】
【０００１】
本発明は、ウインドスクリーンとマイクロホン装置とに関する。
【背景技術】
【０００２】
マイクロホンの中には、例えば、会議用のマイクロホンのように、マイクロホンの動作状態（マイクロホンのＯＮ／ＯＦＦなどの状態）を会議の参加者や、発話者自身に報知する発光部（ＬＥＤ（Light Emitting Diode））を備えるマイクロホンがある（例えば、特許文献１参照）。【０００３】
特許文献１に開示されたマイクロホンは、マイクロホンの動作状態を報知する発光部（ＬＥＤ）と、発光部からの光を外部に向けて拡散させるカバーと、を備える。発光部は、マイクロホンの先端側（発話者（音源）側）の部分など、会議の参加者から視認可能な位置に配置される。特許文献１に開示されたマイクロホンは、カバーを介してＬＥＤからの光を外部に向けて拡散させることにより、マイクロホンの動作状態を会議の参加者や発話者自身に報知する。【０００４】
会議用のマイクロホンは、発話者の口元近くで使用されやすい。そのため、「Ｐ」や「Ｔ」などの音が発話者に発音されると、その音圧により振動板が強く振動して、いわゆるポップノイズが生成される。【０００５】
このようなポップノイズを低減するために、会議用のマイクロホンは、金属の網や、連続発泡体などで構成されるウインドスクリーンが収音部を覆うように取り付けられて、使用される（例えば、特許文献２参照）。
【先行技術文献】
【特許文献】
【０００６】
【特許文献１】特開２０１６−２０１５８３号公報
【特許文献２】特開２００５−３４７９８４号公報
【発明の概要】
【発明が解決しようとする課題】
【０００７】
前述のとおり、発光部を備えるマイクロホンにおいて、発光部は、マイクロホンの収音部の近く（マイクロホンの先端側）に配置される。そのため、発光部を備えるマイクロホンにウインドスクリーンを取り付けると、発光部がウインドスクリーンに覆い隠され、会議の参加者や発話者自身は発光部からの光を視認することができない。一方、発光部を覆い隠さない程度の大きさ（長さ）のウインドスクリーンを使用する場合、会議の参加者は、発光部からの光を視認することができる。しかし、マイクロホンを発話者に向けたとき、発話者は、ウインドスクリーンにより、発光部からの光を視認することができない。また、発話者による発光部からの光の視認性を向上させるために発光部を大きくすると、マイクロホンの小型化が妨げられると共に、マイクロホンのデザイン性が損なわれる。【０００８】
本発明は、以上のような従来技術の問題点を解消するためになされたもので、発光部からの光の視認性が良好なウインドスクリーンと、マイクロホンと、を提供することを目的とする。
【課題を解決するための手段】
【０００９】
本発明にかかるウインドスクリーンは、音声を収音する収音部と、収音部の動作状態を報知する発光部と、を備えるマイクロホンのウインドスクリーンであって、収音部を覆うウインドスクリーン本体と、ウインドスクリーン本体をマイクロホンに固定する固定部材と、を有してなり、ウインドスクリーン本体は、収音部が配置される挿入穴、を備え、固定部材は、挿入穴の外部に配置される導光部、を備え、導光部は、発光部からの光を導光する、ことを特徴とする。
【発明の効果】
【００１０】
本発明によれば、発光部からの光の視認性が良好なウインドスクリーンと、マイクロホン装置と、を提供することができる。
【図面の簡単な説明】
【００１１】
【図１】本発明にかかるマイクロホン装置の実施の形態を示す外観図である。
【図２】図１のマイクロホン装置のＡＡ線における部分拡大断面図である。
【図３】本発明にかかるウインドスクリーンの実施の形態を示す、図１のＡＡ線における断面図である。
【図４】図３のウインドスクリーンが備える固定部材の斜視図である。
【図５】図１のマイクロホン装置の分解斜視図である。
【図６】図１のマイクロホン装置が備えるマイクロホンに、図３のウインドスクリーンが装着されたときのマイクロホンとウインドスクリーンとの位置関係を示す模式図である。
【図７】図６のマイクロホン装置のＢＢ線における部分拡大断面図である。
【図８】図１のマイクロホン装置の使用状態を示す外観図である。
【発明を実施するための形態】
【００１２】
以下、図面を参照しながら、本発明にかかるマイクロホン装置とウインドスクリーンと
の実施の形態について説明する。
【００１３】
●マイクロホン装置●
●マイクロホン装置の構成
図１は、本発明にかかるマイクロホン装置の実施の形態を示す外観図である。
マイクロホン装置１は、音源（不図示）からの音波を収音して、音波に応じた電気信号を出力する。マイクロホン装置１は、マイクロホン１０と、ウインドスクリーン２０と、を有してなる。
【００１４】
以下の説明において、図１の紙面上側の方向を上方といい、図１の紙面下側の方向を下方という。
【００１５】
●マイクロホンの構成
マイクロホン１０は、音源からの音波を収音して、音波に応じた電気信号を出力する。マイクロホン１０は、例えば、会議室などでマイクロホンスタンド（不図示）に着脱可能に取り付けられるグースネック型のマイクロホンである。マイクロホン１０は、ユニット部１１と、調節部１２と、接続部１３と、を備える。
【００１６】
図２は、図１のマイクロホン装置１のＡＡ線における部分拡大断面図である。
同図は、マイクロホン１０を非断面で示し、ウインドスクリーン２０を断面で示す。
【００１７】
ユニット部１１は、音源に向けられて音源からの音波を収音する。ユニット部１１は、第１ケース１１１と、第２ケース１１２と、第３ケース１１３と、マイクロホンユニット１１４と、回路基板１１５（図７参照）と、発光表示部１１６と、を備える。第１ケース１１１とマイクロホンユニット１１４とは、本発明における音声を収音する収音部を構成する。
【００１８】
第１ケース１１１は、マイクロホンユニット１１４を収容する。第１ケース１１１は、金属製で有底円筒状である。第１ケース１１１は、第１音波導入口１１１ｈ１と第２音波導入口１１１ｈ２とを備える。第１音波導入口１１１ｈ１と第２音波導入口１１１ｈ２それぞれは、音源からの音波をマイクロホンユニット１１４に導入する。第１音波導入口１１１ｈ１と第２音波導入口１１１ｈ２それぞれは、複数のスリット状の孔により構成される。第１音波導入口１１１ｈ１は、第１ケース１１１の上端面（底面）に配置される。第２音波導入口１１１ｈ２は、第１ケース１１１の外周面の３か所に、第１ケース１１１の周方向において等角度（本実施の形態では１２０°）間隔で配置される。
【００１９】
第２ケース１１２は、回路基板１１５と発光表示部１１６とを収容する。第２ケース１１２は、金属製で円筒状である。第２ケース１１２は、篏合溝１１２ａを備える。篏合溝１１２ａは、後述するウインドスクリーン２０の篏合部２３３ａ−２３３ｃ（図４参照）が篏合される溝である。篏合溝１１２ａは、第２ケース１１２の外周面（マイクロホン１０の外周面）に、同外周面の周方向に沿って全周にリング状に配置される。
【００２０】
第３ケース１１３は、調節部１２（後述する第１フレキシブルパイプ１２１）の上端を収容する。第３ケース１１３は、金属製で、下端に向かって先細りの円錐台筒状である。
【００２１】
マイクロホンユニット１１４は、第１音波導入口１１１ｈ１と第２音波導入口１１１ｈ２それぞれから第１ケース１１１内に導入された音波を収音して、同音波を電気信号に変換する。マイクロホンユニット１１４は、例えば、コンデンサ型の電気音響変換器である。マイクロホンユニット１１４は、第１ケース１１１に収容される。
【００２２】
なお、マイクロホンユニットは、コンデンサ型の電気音響変換器に限定されない。すなわち、例えば、マイクロホンユニットは、ダイナミック型の電気音響変換器でもよい。
【００２３】
回路基板１１５（図７参照）は、マイクロホンユニット１１４からの音声信号を出力コネクタ（不図示）に出力する平衡伝送回路（不図示）などの回路や、収音部の動作状態を報知するＬＥＤ（Light Emitting Diode）１１５ａ，１１５ｂ（図７参照）などを実装する。回路基板１１５は、第２ケース１１２に収容される。
【００２４】
「収音部の動作状態」は、マイクロホン１０の電源がＯＮの状態（マイクロホンユニット１１４が音波を収音可能な状態）と、マイクロホン１０の電源がＯＦＦの状態（マイクロホンユニット１１４が音波を収音不可能な状態）と、を含む。
【００２５】
発光表示部１１６は、ＬＥＤ１１５ａ，１１５ｂからの光をユニット部１１の外部に表示（報知）する。発光表示部１１６は、例えば、ポリメタクリル酸メチル樹脂（ＰＭＭＡ：Polymethyl methacrylate）などの透光性を有する樹脂製である。発光表示部１１６は、リング状である。発光表示部１１６は、ＬＥＤ１１５ａ，１１５ｂが発光するとＬＥＤ１１５ａ，１１５ｂからの光を外部に略均一に放射し、ＬＥＤ１１５ａ，１１５ｂが発光を停止するとＬＥＤ１１５ａ，１１５ｂからの光の放射を停止する。発光表示部１１６は、第２ケース１１２に収容される。
【００２６】
第１ケース１１１は、第２ケース１１２に接続される。第２ケース１１２は、第３ケース１１３に接続される。このとき、発光表示部１１６の外周面の一部は、第２ケース１１２と第３ケース１１３とに挟持されて、ユニット部１１の外部にリング状に露出される。すなわち、ユニット部１１の外部に露出される発光表示部１１６の一部は、収音部の動作状態を報知する、本発明における発光部として機能する。このとき、ユニット部１１の外部に露出される発光表示部１１６の一部（以下「発光部１１６」ということもある。）の外径は、第２ケース部１１２の外径と、第３ケース部１１３の上端部の外径と、同じである。
【００２７】
図１に戻る。
調節部１２は、ユニット部１１と接続部１３とを連結すると共に、接続部１３に対するユニット部１１の位置を調節する。調節部１２は、第１フレキシブルパイプ１２１と、ジョイント１２２と、第２フレキシブルパイプ１２３と、を備える。
【００２８】
第１フレキシブルパイプ１２１と第２フレキシブルパイプ１２３とは、屈曲してユニット部１１の位置を調節する。ジョイント１２２は、第１フレキシブルパイプ１２１と第２フレキシブルパイプ１２３とを連結する。
【００２９】
接続部１３は、マイクロホン１０をマイクロホンスタンド（不図示）に接続する。接続部１３は、コネクタケース１３１と出力コネクタ（不図示）とを備える。
【００３０】
コネクタケース１３１は、出力コネクタと、調節部１２（第２フレキシブルパイプ１２３）の下端と、を収容する。コネクタケース１３１は、金属製で、略円柱状である。
【００３１】
出力コネクタは、回路基板１１５からの音声信号を出力する。出力コネクタは、例えば、ＪＥＩＴＡ  ＲＣ−５２３６「音響機器用ラッチロック式丸形コネクタ」に規定されるピンプラグである。
【００３２】
●ウインドスクリーンの構成
図３は、本発明にかかるウインドスクリーンの実施の形態を示す、図１のＡＡ線における断面図である。
【００３３】
ウインドスクリーン２０は、マイクロホン装置１の外部からの風や、マイクロホン装置１の使用者（発話者）の呼気などから収音部（マイクロホンユニット１１４）を保護することにより、収音部によるポップノイズの生成を低減させる。ウインドスクリーン２０は、ウインドスクリーン本体２１と固定部材２２とを備える。
【００３４】
ウインドスクリーン本体２１は、収音部を覆い、前述の風や呼気などから収音部を保護する。ウインドスクリーン本体２１は、例えば、ポリウレタンなどの連続気泡性を有する樹脂製である。ウインドスクリーン本体２１は、略円柱状である。ウインドスクリーン本体２１の形状の詳細については、後述する。ウインドスクリーン本体２１は、切欠溝２１ａと挿入穴２１ｈとを備える。
【００３５】
切欠溝２１ａは、ポップノイズを低減するための空気層を形成する。切欠溝２１ａは、ウインドスクリーン本体２１の上部の外周面に、同外周面の周方向に沿って全周にリング状に配置される。
【００３６】
挿入穴２１ｈは、マイクロホン１０の上端部（ユニット部１１の一部）が挿入される円柱状の穴である。挿入穴２１ｈは、ウインドスクリーン本体２１の下端面に配置されて、同下端面に開口する。挿入穴２１ｈの底部（挿入穴２１ｈの上端面）は、上下方向（ウインドスクリーン本体２１の長手方向：図３の紙面上下方向）において、ウインドスクリーン本体２１の略中央部に配置される。挿入穴２１ｈの開口部は、上下方向において、ウインドスクリーン本体２１の下端面に配置される。
【００３７】
ウインドスクリーン本体２１の外径は、ウインドスクリーン本体２１の長手方向（図３の紙面上下方向）において、中央部から下端部に向かうに連れて小さくなる（縮径される）ように構成される。すなわち、ウインドスクリーン本体２１の外周面は、上下方向において、中央部（挿入穴２１ｈの底部側）から下端部（挿入穴２１ｈの開口部側）に向けて、ウインドスクリーン本体２１の径方向中心側に傾斜する。
【００３８】
なお、ウインドスクリーン本体の形状は、本実施の形態に限定されない。すなわち、例えば、ウインドスクリーン本体の外周面は、上下方向において、上端部側から下端部側に向けて傾斜してもよく、あるいは、傾斜しなくてもよい（すなわち、円柱状でもよい）。
【００３９】
図４は、固定部材２２の斜視図である。
【００４０】
固定部材２２は、ウインドスクリーン本体２１をマイクロホン１０（第２ケース１１２）に固定する。固定部材２２は、例えば、ＰＭＭＡなどの透光性を有する樹脂製である。固定部材２２は、導光部２２１と、支持部２２２と、３つの篏合部２２３ａ，２２３ｂ，２２３ｃと、３つの連結部２２４ａ，２２４ｂ，２２４ｃと、スペーサ２２５と、を備える。支持部２２２と篏合部２２３ａ−２２３ｃと連結部２２４ａ−２２４ｃとスペーサ２２５とは、本発明における位置決部を構成する。すなわち、固定部材２２は位置決部を備え、位置決部は支持部２２２と篏合部２２３ａ−２２３ｃと連結部２２４ａ−２２４ｃとスペーサ２２５とを備える。
【００４１】
なお、篏合部と連結部それぞれの数は、「３」に限定されない。すなわち、例えば、篏合部と連結部それぞれの数は、「４」以上や「１」でもよく、同数でなくてもよい。
【００４２】
導光部２２１は、発光部１１６（図２参照）からの光を導光する。導光部２２１は、リング状である。
【００４３】
導光部２２１の上端部の外径は、図３に示されるように、ウインドスクリーン本体２１の下端部の外径と同じである。導光部２２１の外径は、導光部２２１の上端部から下端部に向かうに連れて、連続的に小さくなる（縮径される）ように構成される。すなわち、導光部２２１の外周面は、上下方向において、上端部から下端部に向けて、導光部２２１の径方向中心側に傾斜する。上下方向に対する導光部２２１の外周面の傾斜角は、上下方向に対するウインドスクリーン本体２１の下端部の外周面の傾斜角と同じである。導光部２２１の内径は、第１ケース１１１と第２ケース１１２と第３ケース１１３の上端部それぞれの外径と略同じである（導光部２２１の内径が僅かに大きい）。
【００４４】
導光部２２１の外周面は、上下方向（ウインドスクリーン本体２１の長手方向）において、ウインドスクリーン本体２１の外周面と連続する。換言すれば、導光部２２１は、上下方向においてウインドスクリーン本体２１の外周面と連続する外周面を備える。
【００４５】
なお、導光部の外径は、本実施の形態に限定されない。すなわち、例えば、導光部の外径は、ウインドスクリーン本体の外径より大きくてもよく、あるいは、ウインドスクリーン本体の外径より小さくてもよい。
【００４６】
また、導光部の外周面は、上下方向において、ウインドスクリーン本体の外周面と連続しなくてもよい。すなわち、例えば、導光部の外周面は、上下方向において、傾斜しなくてもよく、あるいは、上下方向に対するウインドスクリーン本体の外周面の傾斜角と異なる傾斜角で傾斜してもよい。
【００４７】
上下方向における導光部２２１の長さＬ１は、上下方向における発光部１１６の長さＬ２以上である（図２参照）。
【００４８】
導光部２２１の上面の内縁部は、上方に延出して円筒状の支持部２２２を構成する。支持部２２２は、篏合部２２３ａ−２２３ｃと連結部２２４ａ−２２４ｃとを支持する。支持部２２２の内径は、導光部２２１の内径と同じである。支持部２２２の外径は、導光部２２１の外径よりも小さく、挿入穴２１ｈの内径以上である。
【００４９】
支持部２２２の上面の一部は、上方に延出して柱状の篏合部２２３ａ−２２３ｃを構成する。篏合部２２３ａ−２２３ｃは、第２ケース１１２の篏合溝１１２ａに勘合する。篏合部２２３ａ−２２３ｃは、支持部２２２の周方向において等角度（本実施の形態では１２０°）間隔で配置される。篏合部２２３ａ−２２３ｃの上端部は、支持部２２２の径方向中心側に突出する。
【００５０】
支持部２２２の上面の他の一部は、上方に延出して柱状の連結部２２４ａ−２２４ｃを構成する。連結部２２４ａ−２２４ｃは、支持部２２２を介して、導光部２２１とスペーサ２２５とを連結する。上下方向における連結部２２４ａ−２２４ｃの長さは、上下方向における篏合部２２３ａ−２２３ｃの長さよりも長い。連結部２２４ａ−２２４ｃは、支持部２２２の周方向において等角度（本実施の形態では１２０°）間隔で、篏合部２２３ａ−２２３ｃの間に配置される。
【００５１】
連結部２２４ａ−２２４ｃのそれぞれの上端は、支持部２２２の径方向中心側に屈曲して連結されて、リング状のスペーサ２２５を構成する。スペーサ２２５は、図２に示されるように、挿入穴２１ｈの底部（底面）と、第１ケース１１１の上面（マイクロホン１０の上端面）と、の間に隙間を形成する。
【００５２】
このように、位置決部（支持部２２２，篏合部２２３ａ−２２３ｃ，連結部２２４ａ−２２４ｃ）は、導光部２２１と一体に構成される。
【００５３】
●マイクロホン装置の組立て
図５は、マイクロホン装置１の分解斜視図である。
【００５４】
先ず、固定部材２２が、ウインドスクリーン本体２１に取り付けられる。固定部材２２の位置決部（支持部２２２，篏合部２２３ａ−２２３ｃ，連結部２２４ａ−２２４ｃ）は、挿入穴２１ｈに挿入されて、挿入穴２１ｈの内部に配置される。固定部材２２の導光部２２１は、挿入穴２１ｈの外部に配置される。ウインドスクリーン本体２１の下端面は、導光部２２１の上面に当接する。このとき、挿入穴２１ｈ（図３参照）は、位置決部により拡径される。ウインドスクリーン本体２１は、例えば、接着剤により、固定部材２２に取り付けられる。
【００５５】
次いで、ウインドスクリーン２０が、マイクロホン１０のユニット部１１に取り付けられる。マイクロホン１０は、上端側から挿入穴２１ｈ（固定部材２２の内側）に挿入される。すなわち、マイクロホン１０のユニット部１１が、挿入穴２１ｈ（固定部材２２の内側）に挿入される。
【００５６】
ユニット部１１のうち、第１ケース１１１と第２ケース１１２とが挿入穴２１ｈ（固定部材２２の内側）に挿入されたとき、固定部材２２の篏合部２２３ａ−２２３ｃの上端部は、第２ケース１１２の篏合溝１１２ａに篏合される。その結果、ウインドスクリーン２０は、マイクロホン１０に固定（装着）される。このとき、収音部は、挿入穴２１ｈに配置される。
【００５７】
図６は、マイクロホン１０にウインドスクリーン２０が装着されたときのマイクロホン１０とウインドスクリーン２０との位置関係を示す模式図である。同図は、ウインドスクリーン本体２１を二点鎖線で示し、発光部１１６を一点鎖線で示す。
【００５８】
ウインドスクリーン２０がマイクロホン１０に固定されたとき、導光部２２１は、上下方向（図６の紙面上下方向）において、発光部１１６に位置決めされる。すなわち、位置決部は、導光部２２１を発光部１１６に位置決めする。その結果、導光部２２１は、発光部１１６の全面を覆う。
【００５９】
また、ウインドスクリーン２０がマイクロホン１０に固定されたとき、マイクロホン１０の上端面（第１ケース１１１の底部）は、スペーサ２２５に当接する。その結果、位置決部のうち、スペーサ２２５は、挿入穴２１ｈの底部（底面）と、マイクロホン１０の上端面と、の間に配置される。このとき、スペーサ２２５は、第１ケース１１１の第１音波導入口１１１ｈ１を塞がない位置に配置される。
【００６０】
一方、位置決部のうち、支持部２２２と篏合部２２３ａ−２２３ｃと連結部２２４ａ−２２４ｃとは、第１ケース１１１と第２ケース１１２と、挿入穴２１ｈの内周面と、の間に配置される。このとき、連結部２２４ａ−２２４ｃは、マイクロホン１０の径方向視において第２音波導入口１１１ｈ２の間に配置される。すなわち、連結部２２４ａ−２２４ｃは、第２音波導入口１１１ｈ２を塞がない位置に配置される。
【００６１】
このように、位置決部は、図２にも示されるように、挿入穴２１ｈの内面と、マイクロホン１０のユニット部１１の外面（上端面，外周面）と、の間に配置されて、これらの間に隙間を形成する。この隙間は、ポップノイズを低減するための空気層を構成する。そのため、マイクロホン装置１の外部からの風や、マイクロホン装置１の使用者（発話者）の呼気などに起因する、収音部のポップノイズの生成は、低減される。
【００６２】
篏合部２２３ａ−２２３ｃが篏合溝１１２ａに嵌合された状態で、ウインドスクリーン２０をマイクロホン１０に対して上方向に引くことにより、篏合溝１１２ａと篏合部２２３ａ−２２３ｃとの嵌合は解除されて、ウインドスクリーン２０はマイクロホン１０から取り外される。すなわち、ウインドスクリーン２０は、マイクロホン１０に対して着脱可能である。
【００６３】
●マイクロホン装置の動作
図７は、マイクロホン装置１の図６のＢＢ線における部分拡大断面図である。
同図は、ＬＥＤ１１５ａからの光が導光される様子を破線矢印で示す。
【００６４】
マイクロホン装置１の使用者により、マイクロホン装置１の電源がＯＮされると、マイクロホンユニット１１４（収音部）（図２参照）は収音可能となり、ＬＥＤ１１５ａ，１１５ｂは発光する（点灯する）。ＬＥＤ１１５ａ，１１５ｂからの光は、発光表示部１１６の内部に拡散されて、発光部１１６に導光される。発光部１１６に導光されたＬＥＤ１１５ａ，１１５ｂからの光は、発光部１１６からマイクロホン１０の外部に放射される。
【００６５】
発光部１１６から放射された光は、導光部２２１に入射される。導光部２２１に入射された光は、導光部２２１の内部に拡散されて、導光部２２１の外周面と下面とから導光部２２１の外部に放射される。すなわち、ＬＥＤ１１５ａ，１１５ｂからの光の視認性は、導光部２２１の径方向（例えば、図７の紙面左右方向）から、導光部２２１の下方向（図７の紙面下方向）までの範囲において良好となる。その結果、導光部２２１の外周面や下面が向けられる方向からマイクロホン装置１を視認する人は、マイクロホン装置１（収音部）の動作状態を容易に確認することができる。
【００６６】
前述のとおり、導光部２２１の上端部の外径は、ウインドスクリーン本体２１の下端部の外径と同じである。導光部２２１の外周面は、上下方向において、ウインドスクリーン本体２１の外周面と連続する。そのため、マイクロホン装置１の使用者（発話者）は、視線（視軸）をマイクロホン装置１の収音軸からずらすだけで、導光部２２１の一部を容易に視認可能である。
【００６７】
図８は、マイクロホン装置１の使用状態を示す外観図である。
同図は、例えば、マイクロホン装置１の使用者が、第１フレキシブルパイプ１２１を自らの方向に折り曲げて、マイクロホン装置１の上端（ウインドスクリーン２０の上端）を視認した状態を示す。同図は、使用者に導光部２２１の一部が三日月状に視認されて、マイクロホン装置１（収音部）の動作状態が使用者に認識可能であることを示す。
【００６８】
●まとめ
以上説明した実施の形態によれば、ウインドスクリーン２０は、ウインドスクリーン本体２１の挿入穴２１ｈの外部に配置されて発光部１１６を覆い、発光部１１６からの光を外部に導光する導光部２２１を備える。そのため、ウインドスクリーン２０は、マイクロホン１０に取り付けられた状態で、マイクロホン１０の発光部１１６からの光の視認性を阻害しない（確保する）。すなわち、本発明にかかるマイクロホン装置とウインドスクリーンとにおける発光部１１６からの光の視認性は、良好である。
【００６９】
また、以上説明した実施の形態によれば、上下方向における導光部２２１の長さＬ１は、上下方向における発光部１１６の長さＬ２よりも長い。そのため、ＬＥＤ１１５ａ，１１５ｂからの光を放射する面積は、発光部１１６単体が同光を放射する場合と比較して、広くなる。その結果、ＬＥＤ１１５ａ，１１５ｂからの光の視認性は、向上する。
【００７０】
さらに、以上説明した実施の形態によれば、導光部２２１はリング状で、導光部２２１の外径はウインドスクリーン本体２１の外径以下である。そのため、発話者が視認する導光部２２１の面積は、制限される。すなわち、マイクロホン装置１の使用者（発話者）の目に向けて導光される光の量は、制限される。その結果、発話者は、ＬＥＤ１１５ａ，１１５ｂからの光（導光部２２１が放射する光）による眩しさを感じることなく、マイクロホン１０の動作状態を視認することができる。
【００７１】
さらにまた、以上説明した実施の形態によれば、導光部２２１は、上下方向において傾斜するウインドスクリーン本体２１の外周面と連続する外周面を備える。その結果、ウインドスクリーン２０は、良好なデザイン性と、良好な光の視認性と、を兼ね備える。
【００７２】
さらにまた、以上説明した実施の形態によれば、ウインドスクリーン２０は、導光部２２１を発光部１１６に位置決めする位置決部を備える。そのため、マイクロホン装置１の使用者は、容易に導光部２２１で発光部１１６を覆うことができる。
【００７３】
さらにまた、以上説明した実施の形態によれば、位置決部は、マイクロホン１０の外周面に配置される篏合溝１１２ａに嵌合される篏合部２２３ａ−２２３ｃを備える。篏合部２２３ａ−２２３ｃと篏合溝１１２ａとの篏合は、ウインドスクリーン２０をマイクロホン１０に対して上方向に引くことにより解除される。そのため、ウインドスクリーン２０は、マイクロホン１０に対して容易に固定（装着）されると共に、マイクロホン１０から容易に取り外すことができる。
【００７４】
さらにまた、以上説明した実施の形態によれば、位置決部は、挿入穴２１ｈの内周面と、マイクロホン１０の外面と、の間に配置される連結部２２４ａ−２２４ｃとスペーサ２２５とを備える。そのため、ウインドスクリーン２０は、マイクロホン１０に装着された状態で、発光部１１６からの光の視認性を確保すると共に、マイクロホン１０との間にポップノイズを低減する空気層を形成する。
【００７５】
さらにまた、以上説明した実施の形態によれば、ウインドスクリーン２０は、マイクロホン１０に着脱可能である。そのため、ウインドスクリーン２０は、マイクロホン１０から取り外されることで、マイクロホン１０自体のデザイン性を確保することができる。また、発話者は、ウインドスクリーン２０の有無を選択することができる。
【００７６】
このように、本発明にかかるマイクロホン装置は、ウインドスクリーン本体２１をマイクロホン１０に固定する固定部材２２が発光部１１６からの光を外部に向けて放射することにより、マイクロホン装置１（収音部）の動作状態を報知することができる。すなわち、固定部材２２は、ウインドスクリーン本体２１をマイクロホン１０に固定する機能と、収音部の動作状態を報知する機能と、を備える。その結果、本発明にかかるマイクロホン装置の部品点数は、固定部材とは別に発光部からの光を導光する導光部を備える従来のマイクロホン装置の部品点数より少ない。
【００７７】
また、導光部２２１が発光部１１６を拡径することと同じ機能を奏するため、本発明にかかるマイクロホン装置とウインドスクリーンとは、マイクロホン１０の小型化やデザイン性を阻害しない。
【００７８】
なお、以上説明した実施の形態は、固定部材２２が連結部２２４ａ−２２４ｃとスペーサ２２５とを備える構成であった。これに代えて、本発明における固定部材は、篏合部のみを備える構成でもよい。この場合、本発明における固定部材は、ガンマイクなどの収音部が長いマイクロホンのウインドスクリーン本体に対しても使用可能である。すなわち、本発明における固定部材は、複数のウインドスクリーン本体間で共用可能となる。
【符号の説明】
【００７９】
１    マイクロホン装置
１０    マイクロホン
１１１    第１ケース（収音部）
１１２    第２ケース
１１２ａ  篏合溝
１１４    マイクロホンユニット（収音部）
１１６    発光部
２０    ウインドスクリーン
２１    ウインドスクリーン本体
２１ｈ  挿入穴
２２    固定部材
２２１    導光部
２２３ａ  篏合部
２２３ｂ  篏合部
２２３ｃ  篏合部
２２４ａ  連結部
２２４ｂ  連結部
２２４ｃ  連結部
２２５    スペーサ
【図１】
2019207820.tif 000003
【図２】
2019207820.tif 000004
【図３】
2019207820.tif 000005
【図４】
2019207820.tif 000006
【図５】
2019207820.tif 000007
【図６】
2019207820.tif 000008
【図７】
2019207820.tif 000009
【図８】
2019207820.tif 000010
【国際調査報告】
2019207820.tif 000011
2019207820.tif 000012